(57)【要約】【課題】通信相手先に対して、当方のおかれている状況などを臨機応変に伝えることを可能にする。【解決手段】着信を受けた時、携帯端末は、ディスプレイ部４１に、「後ほどお電話いたします。」の音声メッセージを表すタイトル「１．後でかけます」や、「ただ今、移動中です。電話に出られません。」の音声メッセージを表す「２．移動中」、「ただ今、会議中です。電話に出られません。」の音声メッセージを表す「３．会議中」などを表示する。ユーザがそれらの何れかのタイトルを選択すると、携帯端末は、その選択されたタイトルに応じた音声メッセージを、相手先の携帯端末へ送信する。【選択図】　　　図２
2004023367.tif 000002
【特許請求の範囲】
【請求項１】
着信を受ける受信部と、
少なくとも着信時に、複数の音声メッセージの中から使用者の指示により選択された音声メッセージを取得するメッセージ取得部と、
上記取得した音声メッセージを、上記着信を行ってきた通信相手先に対して送信する送信部とを有する
ことを特徴とする通信装置。
【請求項２】
請求項１記載の通信装置であって、
各音声メッセージに対してそれぞれ個々に識別可能なタイトル情報を対応付けて、上記タイトル情報を所定の表示部に表示させるメッセージ管理部を備え、
上記メッセージ取得部は、上記表示された複数のタイトル情報の中から使用者の指示により選択されたタイトル情報に対応した、上記音声メッセージを取得することを特徴とする通信装置。
【請求項３】
請求項２記載の通信装置であって、
上記メッセージ管理部は、音声メッセージの選択履歴を保持し、上記選択履歴に基づいて上記タイトル情報の表示順を変更することを特徴とする通信装置。
【請求項４】
請求項３記載の通信装置であって、
上記メッセージ管理部は、前回選択された音声メッセージのタイトル情報の表示優先順位を最上位に設定することを特徴とする通信装置。
【請求項５】
請求項３記載の通信装置であって、
上記メッセージ管理部は、上記選択履歴から各音声メッセージの選択頻度を求め、当該選択頻度に応じて上記タイトル情報の表示優先順位を設定することを特徴とする通信装置。
【請求項６】
請求項１記載の通信装置であって、
上記メッセージ取得部にて複数の音声メッセージが取得されたとき、上記送信部は、上記メッセージ取得部での複数の音声メッセージの取得終了後に、各音声メッセージを順次送信することを特徴とする通信装置。
【請求項７】
請求項１記載の通信装置であって、
上記メッセージ取得部にて複数の音声メッセージが取得されるとき、上記送信部は、上記メッセージ取得部での取得と同時に各音声メッセージを順次送信することを特徴とする通信装置。
【請求項８】
請求項２記載の通信装置であって、
上記メッセージ管理部は、所定数のタイトル情報からなるタイトル情報グループを順次表示させ、
上記メッセージ取得部は、上記順次表示されたタイトル情報グループの中から使用者により選択された所望のタイトル情報の音声メッセージを取得することを特徴とする通信装置。
【請求項９】
請求項８記載の通信装置であって、
上記メッセージ管理部は、各音声メッセージをカテゴリ分類し、上記カテゴリ毎に分類された音声メッセージの上記タイトル情報グループを表示させることを特徴とする通信装置。
【請求項１０】
請求項９記載の通信装置であって、
上記メッセージ管理部は、上記通信相手先を特定する情報に基づいて、上記表示されるタイトル情報グループのカテゴリを決定することを特徴とする通信装置。
【請求項１１】
請求項８記載の通信装置であって、
上記メッセージ管理部は、予め設定されたスケジュール情報に基づいて、上記表示されるタイトル情報グループ内の各タイトル所の表示順を変更することを特徴とする通信装置。
【請求項１２】
請求項８記載の通信装置であって、
上記メッセージ管理部は、メッセージ取得部にて先に選択された音声メッセージに応じて、次に表示するタイトル情報グループ内の各タイトル情報の表示順を変更することを特徴とする通信装置。
【請求項１３】
請求項２記載の通信装置であって、
使用者により少なくとも番号が入力可能な番号入力部を備え、
上記メッセージ管理部は、各タイトル情報にそれぞれ番号を対応つけて表示させ、
上記メッセージ取得部は、上記番号入力部により入力された番号に対応した音声メッセージを取得することを特徴とする通信装置。
【請求項１４】
請求項１記載の通信装置であって、
上記通信相手先から送信されてきた音声メッセージを録音する録音部を備えることを特徴とする通信装置。
【請求項１５】
請求項１４記載の通信装置であって、
着信時に、上記録音部での音声メッセージの録音機能を有効又は無効に設定する録音機能設定部を備えることを特徴とする通信装置。
【請求項１６】
請求項１記載の通信装置であって、
外部より転送されてきた音声メッセージを、上記選択の対象となる音声メッセージとして格納する音声メッセージ格納部を備えることを特徴とする通信装置。
【請求項１７】
互いに双方向通信が可能な少なくとも二つの通信装置を備え、
少なくとも一方の通信装置は、着信時に、複数の音声メッセージの中から使用者の指示により選択された音声メッセージを取得し、その取得した音声メッセージを他方の通信装置へ送信する
ことを特徴とする通信システム。
【発明の詳細な説明】
【０００１】
【発明の属する技術分野】
本発明は、携帯電話機等の携帯情報端末に好適な通信装置、及び、少なくとも２つの通信装置を備えた通信システムに関する。
【０００２】
【従来の技術】
近年、携帯電話機は広く普及しており、誰もが常に携帯している状況にある。また、携帯電話機は、各ユーザ間のコミュニケーションに欠かせないものとなりつつあり、その使用頻度は益々高まる傾向にある。さらに、携帯電話機は、通話エリア内であれば何時いかなる場所でも通話が可能であるため、例えば緊急な要件を伝える場合などに非常に有用であり、各ユーザにとって無くてはならない重要な機器となっている。
【０００３】
【発明が解決しようとする課題】
ところで、携帯電話機への着信があったときに、その着信を受けることができない（つまり電話にでられない）場合、ユーザが取り得る選択肢は、現在のところ、その着信を保留にすること、着信を無視或いは拒否すること、留守番電話にしておくことしかない。したがって、ユーザは、電話をかけてきた相手に対して、何故電話に出られないのかなどの状況を伝えるようなことはできない。
【０００４】
本発明は、このような課題に鑑みてなされたものであり、例えば着信を受けることができないような場合に、相手方に対し、例えば応答できない理由などを状況に応じて臨機応変に伝えることを可能とする、通信装置及び通信システムを提供することを目的とする。
【０００５】
【課題を解決するための手段】
本発明の通信装置は、少なくとも着信時に、複数の音声メッセージの中から使用者の指示により選択された音声メッセージを取得し、その取得した音声メッセージを、着信を行ってきた通信相手先に対して送信する。
【０００６】
また、本発明の通信システムは、少なくとも一方が本発明の通信装置からなる。
【０００７】
すなわち本発明によれば、一方の通信装置が他方の通信装置からの着信を受けたとき、当該一方の通信装置のユーザがおかれている状況などを知らせるための音声メッセージを、上記他方の通信装置へ送信する。
【０００８】
【発明の実施の形態】
以下、本発明の好ましい実施の形態について、図面を参照しながら説明する。
【０００９】
本実施の形態は、本発明の通信装置及び通信システムの一例として、図１に示す携帯電話機とその携帯電話システムを挙げている。
【００１０】
この図１は、一例として、２台の携帯電話機１０Ａと１０Ｂが、基地局２Ａ、制御局１、基地局２Ｂを介して接続された場合の携帯電話システムの概略構成を示している。なお、この例の携帯電話システムは、携帯電話の通信方式としていわゆるＷ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式を採用しているとする。もちろん、本発明はＷ−ＣＤＭＡ方式に限定されず、ＣＤＭＡ方式、ＰＤＣ（Ｐｅｒｓｏｎａｌ　Ｄｉｇｉｔａｌ　Ｃｅｌｌｕｌａｒ）方式、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎｓ）方式、ＰＨＳ（Ｐｅｒｓｏｎａｌ　Ｈａｎｄｙｐｈｏｎｅ　Ｓｙｓｔｅｍ：商標）方式等の他の通信方式にも適用できる。また、上記携帯電話機１０Ａ，１０Ｂは、通話機能だけでなく、電子メールやその他の各種のデータ，プログラム等の送受信機能も備えているとする。
【００１１】
携帯電話機１０Ａ，１０Ｂは、図２に示すように、少なくとも、ディスプレイ部４１と操作入力部４４、図示しない内部信号処理回路や内蔵アンテナ等を備えている。
【００１２】
ディスプレイ部４１は、ＬＣＤ（Ｌｉｑｕｉｄ　Ｃｒｙｓｔａｌ　Ｄｉｓｐｌａｙ）或いはＥＬ（ＥｌｅｃｔｏｒＬｕｍｉｎｅｓｃｅｎｃｅ）パネル等からなり、少なくとも文字や数字、記号、アイコン，カーソル等の他、望ましくはカラー動画像を表示可能なものである。
【００１３】
操作入力部４４は、少なくとも、「０」から「９」までの数字の入力、アルファベット文字の入力、仮名文字の入力、記号の入力、仮名漢字変換の指示入力、発信や受信の指示入力、電源ＯＮ／ＯＦＦの指示入力、後述する音声メッセージの選択開始の指示入力、音声メッセージの選択指示入力等のために使用される複数のキーやダイヤル４６等を備えている。また、上記ダイヤル４６は、ディスプレイ部４１上に表示されたカーソルの操作や画面のスクロール操作などに用いられるいわゆるジョグダイヤルである。その他、この携帯電話機は、例えば筐体側面や筐体背面（例えばディスプレイ部４１に対する背面側）に設けられる図示しないキー（サイドキーや背面キー）なども備えている。この操作入力部４４を操作することにより、ユーザは、一例として、電話番号の入力やその登録、電子メールの入力、電子メールアドレスの入力やその登録、住所録の入力やその登録、ディスプレイ部４１の画面上に表示されるカーソルの移動、後述する音声メッセージの選択操作など、様々な入力操作を行うことができる。なお、本実施の形態において、音声メッセージの選択開始の指示入力は、例えばクリアキー４９のオン操作、或いは、ダイヤル４６を一定時間以上連続的に押下する操作、若しくは、サイドキーや背面キーのオン操作などにより行われる。以下、本実施の形態では、クリアキー４９を音声メッセージの選択開始の指示入力に用いた例を挙げて説明する。この例の場合、当該クリアキー４９は、着信時のいわゆるエニキーアンサーに関わらないキーとなされており、着信時にクリアキー４９がオン操作されることで、電話を受けることなく、音声メッセージの選択と送信が可能となる。音声メッセージ及びその選択等の詳細については後述する。
【００１４】
内蔵アンテナは、例えばダイバーシチ方式のアンテナであり、基地局２との間で無線による信号の送受信を行うためのものである。なお、当該内蔵アンテナは、パッチアンテナ、マイクロストリップアンテナ、逆Ｆアンテナ、ダイポールアンテナ等でもあっても良い。
【００１５】
なお、当該携帯電話機１０Ａ，１０Ｂの内部信号処理回路の構成の詳細な説明は後述する。以下の説明では、携帯電話機１０Ａが発呼側の携帯電話機（以下、発信携帯端末１０Ａと表記する）であり、携帯電話機１０Ｂが着呼側の携帯電話機（以下、着信携帯端末１０Ｂと表記する）であるとする。また、以下の説明において、発信携帯端末１０Ａ、着信携帯端末１０Ｂの何れも特定しない場合は単に携帯端末１０と表記する。
【００１６】
基地局２Ａ，２Ｂは、Ｗ−ＣＤＭＡ方式に対応した無線基地局装置（ＢＴＳ：Ｂａｓｅ　Ｔｒａｎｓｃｅｉｖｅｒ　Ｓｔａｔｉｏｎ）である。基地局２Ａ，２Ｂは、それぞれ、アンテナ３、図示しない屋外受信増幅器，屋外受信増幅器監視制御装置，送信増幅部，無線変復調部等を備えている。図１の場合、基地局２Ａは、発信携帯端末１０Ａとの間で無線通信を行い、基地局２Ｂは、着信携帯端末１０Ｂとの間で無線通信を行う。なお、以下の説明において、基地局２Ａ，２Ｂの何れも特定しない場合は単に基地局２と表記する。
【００１７】
制御局１は、Ｗ−ＣＤＭＡ方式に対応した無線ネットワーク制御装置（ＲＮＣ：Ｒａｄｉｏ　Ｎｅｔｗｏｒｋ　Ｃｏｎｔｒｏｌｌｅｒ）であり、制御信号処理機能、Ｏ＆Ｍ（Ｏｐｅｒａｔｉｏｎ　ａｎｄ　Ｍａｉｎｔｅｎａｎｃｅ）機能、共通チャネル多重分離機能、ＡＴＭ（Ａｓｙｎｃｈｒｏｎｏｕｓ　Ｔｒａｎｓｆｅｒ　Ｍｏｄｅ）スイッチング機能及びダイバーシチハンドオーバー機能等を有し、無線回線の回線接続制御やハンドオーバー制御等を行う。また、制御局１は、加入者階梯交換機、マルチメディア信号処理装置（ＭＰＥ：Ｍｕｌｔｉｍｅｄｉａ　ｓｉｇｎａｌ　Ｐｒｏｃｅｓｓｉｎｇ　Ｅｑｕｉｐｍｅｎｔ）、無線基地局装置（基地局）と接続されている。なお、図１は、マルチメディア信号処理装置、加入者階梯交換機等の図示を省略している。この制御局１は、無線回線の回線接続制御やハンドオーバー制御等を行う。
【００１８】
［回線接続］
図１に示す通信システムにおいて、Ｗ−ＣＤＭＡ方式での上りリンクの接続の際、発信携帯端末１０Ａは、共通チャネルを用い、基地局２Ａに接続要求情報を送信する。基地局２Ａは、その接続要求情報を制御局１に送信する。この接続要求情報を受け取った制御局１は、発信携帯端末１０Ａとの間に制御コネクションを確立させた後、当該発信携帯端末１０Ａに個別チャネルを割り当てる。この個別チャネルの割り当ての情報は、共通チャネルを用いて発信携帯端末１０Ａに送られる。上りリンクの接続は、この個別チャネルの割り当ての完了により確立する。そして、発信携帯端末１０Ａは、上記個別チャネルを用いて、通話相手先の着信携帯端末１０Ｂの呼び出し要求情報を、基地局２Ａを介して制御局１へ送信する。
【００１９】
上記発信携帯端末１０Ａからの呼び出し要求情報を受け取ると、制御局１は、下りリンクの接続のために、共通チャネルを用い、着信携帯端末１０Ｂの一斉呼び出しを行う。上記着信携帯端末１０Ｂは、上記一斉呼び出しを受けると、基地局２Ｂを介して制御局１に対して応答を返す。この応答を受け取った制御局１は、着信携帯端末１０Ｂとの間の制御コネクションを確立させた後、当該着信携帯端末１０Ｂに個別チャネルを割り当てる。この個別チャネルの割り当て情報は、共通チャネルを用いて着信携帯端末１０Ｂへ送られる。下りリンクの接続は、当該個別チャネルの割り当ての完了により確立する。そして、制御局１は、上記個別チャネルを用い、上記発信携帯端末１０Ａから発呼がなされていることを知らせるための呼び出し情報を、基地局２Ｂを介して着信携帯端末１０Ｂへ送信する。着信携帯端末１０Ｂは、上記呼び出し情報を受け取る（着呼を受ける）と、内蔵スピーカにより着信音を鳴らす。つまり、上記呼び出し情報は、着信携帯端末１０Ｂに着信音を鳴らさせるための情報となっている。なお、着信携帯端末１０Ｂは、上記着信音と同時若しくはそれに代えて、内蔵バイブレータを振動させる場合もある。
【００２０】
上記上りリンクと下りリンクの接続確立により回線接続が完了し、発信携帯端末１０Ａと着信携帯端末１０Ｂは、互いに通話可能な状態となる。
【００２１】
［音声メッセージ］
ここで、携帯端末１０は、着信を受けた時に、回線交換により、以下に説明する音声メッセージを、相手側の携帯端末１０へ送信する機能を備えている。
【００２２】
上記音声メッセージとは、着信携帯端末１０Ｂのユーザが、発信携帯端末１０Ａのユーザに対して、様々な情報を伝えるために用いられる音声によるメッセージである。当該音声メッセージは、一例として、「後ほどお電話いたします。」、「ただ今、移動中です。電話に出られません。」、「ただ今、会議中です。電話に出られません。」など、例えば着信携帯端末１０Ｂのユーザが着信を受けることができないときに、発信携帯端末１０Ａのユーザに対して何故電話に出られないのかを知らせるため等に用いられる音声を挙げることができる。勿論、本発明における音声メッセージは、上記電話に出られないことを知らせるためのメッセージに限定されず、様々な情報を伝えるためのメッセージであっても良い。着信携帯端末１０Ｂのユーザは、着信時に、それら様々な音声メッセージの中から所望のメッセージを選択し、そして、上記ユーザにより選択された音声メッセージが、当該着信携帯端末１０Ｂから発信携帯端末１０Ａへ送信される。これにより、発信携帯端末１０Ａのユーザは、着信携帯端末１０Ｂから送られてきた音声メッセージを聞くことで、着信携帯端末１０Ｂのユーザが例えば何故電話に出られないのかなど様々な情報を知ることができる。
【００２３】
また、本実施の形態において、上記各音声メッセージは、それぞれメッセージの内容を端的に表すテキストデータのタイトルと対応付けられた状態で、携帯端末１０の不揮発性メモリ等に保存されている。すなわち例えば、「後ほどお電話いたします。」の音声メッセージには例えば「後でかけます」のタイトルが対応付けられ、「ただ今、移動中です。電話に出られません。」の音声メッセージには例えば「移動中」のタイトルが、「ただ今、会議中です。電話に出られません。」の音声メッセージには例えば「会議中」のタイトルが対応付けられた状態で、不揮発性メモリに保存されている。そして、それら各音声メッセージのタイトルは、ディスプレイ部４１上に表示可能となされている。上記各音声メッセージのタイトルをディスプレイ部４１上に表示する際には、各タイトルにそれぞれ番号が付された状態で表示される。例えば図２に示したように、上記「後でかけます」のタイトルには「１」の番号が付された状態（「１．後でかけます」）で表示され、上記「移動中」のタイトルには「２」の番号が付された状態（「２．移動中」）で、上記「会議中」のタイトルには「３」の番号が付された状態（「３．会議中」）で表示される。以下、これら番号が付けられたタイトルを、番号付きタイトルと表記する。なお、上記音声メッセージやタイトルが保存されるメモリは、書き換え可能な不揮発性メモリであることが望ましい。また、ディスプレイ部４１上には、各音声メッセージの内容そのものが表示されても良いが、ディスプレイ部４１の表示面積には限りがあるため、上記番号付きタイトルを表示することが望ましい。これにより、携帯端末１０のユーザは、どの音声メッセージを選択可能であるのかを一目で認識できる。そして、上記ディスプレイ部４１上に表示されている番号付きタイトルのうち、所望のものがユーザにより選択されたとき、着信携帯端末１０Ｂは、その選択された番号付きタイトルに対応する音声メッセージを発信携帯端末１０Ａへ送信する。
【００２４】
また、上記着信携帯端末１０Ｂ上でユーザが選択可能な音声メッセージは、一つに限定されず、複数であっても良い。すなわち例えば、着信携帯端末１０Ｂのユーザは、上記「３．会議中」の番号付きタイトルを選択した後、上記「１．後でかけます」の番号付きタイトルを選択することができる。この場合、着信携帯端末１０Ｂは、発信携帯端末１０Ａに対して、上記「３．会議中」の番号付きタイトルに対応した音声メッセージである「ただ今、会議中です。電話に出られません。」の次に、上記「１．後でかけます」の番号付きタイトルに対応した音声メッセージである「後ほどお電話致します。」を送信することになる。
【００２５】
さらに、上記各音声メッセージは、以下に説明するようにカテゴリ毎に分けられていても良い。音声メッセージがカテゴリ毎に分けられているとき、ディスプレイ部４１には、同一カテゴリに属する幾つかの音声メッセージに対応した番号付きタイトルが表示される。上記カテゴリとしては、一例として、何故電話に出られないのかを説明する「理由」に対応した各音声メッセージのカテゴリや、この後、ユーザがどのようにするのかを伝えるための「行動」に対応した各音声メッセージのカテゴリ、上記「行動」カテゴリ内の音声メッセージを修飾するための「時間」に対応した各音声メッセージのカテゴリなどが考えられる。上記「理由」に対応したカテゴリの音声メッセージは、例えば「ただ今、移動中です。電話に出られません。」、「ただ今、会議中です。電話に出られません。」などのメッセージが考えられる。当該「理由」に対応したカテゴリの場合、ディスプレイ部４１上には、図３に示すように、例えば「１．移動中」、「２．会議中」、…などの番号付きタイトルが表示される。また、「時間」に対応したカテゴリの音声メッセージは、例えば「５分後に」、「１０分後に」、「すぐに」、…などの音声が考えられる。当該「時間」に対応したカテゴリの場合、ディスプレイ部４１上には、図４に示すように、例えば「１．５分後」、「２．１０分後」などの番号付きタイトルが表示される。「行動」に対応したカテゴリの音声メッセージは、例えば「折り返しお電話いたします。」、「後ほどかけ直してください。」などの音声が考えられる。当該「行動」に対応したカテゴリの場合、ディスプレイ部４１上には、図５に示すように、例えば「１．折り返し電話」、「２．かけ直し依頼」などの番号付きタイトルが表示される。なお、図３〜図５の表示画面内には、それぞれカテゴリを表す例えば「理由」、「時間」、「行動」等の文字が表示されていても良い。
【００２６】
本実施の形態の携帯端末１０のユーザは、上記各カテゴリ毎に、それぞれ音声メッセージを順次選択することも可能である。例えば、ディスプレイ部４１上に上記「理由」のカテゴリの番号付きタイトルが表示されているときに、「１．移動中」の番号付きタイトルがユーザにより選択され、次にディスプレイ部４１上に上記「時間」のカテゴリの番号付きタイトルが表示され、その中から「２．１０分後」の番号付きタイトルがユーザにより選択され、さらに、次にディスプレイ部４１上に上記「行動」のカテゴリの番号付きタイトルが表示され、その中から「１．折り返し電話」の番号付きタイトルがユーザにより選択されたとすると、着信携帯端末１０Ｂは、「ただ今、会議中です。電話に出られません。」「１０分後に」「折り返しお電話いたします。」の各音声メッセージを、発信携帯端末１０Ａへ順次送信可能となる。この説明では、図３〜図５の各カテゴリにおいて、少なくとも１個の番号付きタイトル（つまり音声メッセージ）が選択されたときに、次のカテゴリ表示へ進む例を述べたが、勿論、あるカテゴリ内で音声メッセージの選択がパスされて、次のカテゴリの音声メッセージの選択に進むことも可能である。このように、カテゴリ内で音声メッセージが選択されない場合を想定して、携帯端末１０は、ディスプレイ部４１上に、図６に示すように各カテゴリ毎に例えば「６．選択しない」の選択項目を表示しても良い。なお、図６中の各メッセージＡ，Ｂ，Ｃ，…はそれぞれ異なる音声メッセージのタイトルを表しているとする。当該「６．選択しない」の項目がユーザにより選択された場合、携帯端末１０は、そのカテゴリ内で音声メッセージの選択は行われず、ディスプレイ部４１上には次のカテゴリを表示する。
【００２７】
これら各カテゴリ毎の表示の切り替えは、上記「６．選択しない」の項目が選択された時や、各カテゴリ内で少なくとも一つの音声メッセージが選択されたときに自動的に行われる場合だけでなく、前記操作入力部４４上の所望の操作子が操作されたときに行われる設定であっても良い。上記カテゴリ表示の切り替えを行うための操作子としては、一例として、図２中、ダイヤル４６の両端側に設けられたキー４７，４８を挙げることができる。この場合、携帯端末１０は、例えばキー４８がオン操作されたときには一つ前のカテゴリ表示に切り替え、例えばキー４７がオン操作されたときには次のカテゴリ表示に切り替える。
【００２８】
また、本実施の形態において、音声メッセージの選択の終了は、例えば最後のカテゴリ内で音声メッセージが選択された時点で行われる設定であっても良く、全てのカテゴリ内で少なくとも一つの音声メッセージが選択された後に行われる設定であっても良く、何れか途中のカテゴリ内で行われる設定であって良い。上記何れか途中のカテゴリ内で音声メッセージの選択終了が可能な設定となされている場合、携帯端末１０は、図７に示すように例えば「６．選択終了」の選択項目をディスプレイ部４１上に表示する。なお、図７中の各メッセージＡ，Ｂ，Ｃ，…はそれぞれ異なる音声メッセージのタイトルを表しているとする。上記「６．選択終了」の項目がユーザにより選択された場合、携帯端末１０は、他に音声メッセージを選択可能なカテゴリ等があったとしても、音声メッセージの選択処理を終了させる。さらにこの「６．選択終了」の項目は、音声メッセージの選択のための画面が複数あるか否か、或いは、音声メッセージがカテゴリ分類されているか否かに関わらず設けても良い。なお、上記図６に示した「選択しない」と図７に示した「選択終了」の項目は、同一画面上に表示されていても良い。
【００２９】
その他、上記「理由」、「時間」、「行動」のカテゴリは、例えば「仕事」に関連するカテゴリ、「友人」に関連するカテゴリ、「親戚」に関連するカテゴリ、「家族」に関連するカテゴリ、「趣味」に関連するカテゴリなどとの間で階層構造を有していても良い。すなわち例えば、「仕事」に関連するカテゴリに対して、「理由」、「時間」、「行動」のカテゴリが階層化されていたり、「友人」に関連するカテゴリに対して上記「理由」、「時間」、「行動」のカテゴリが階層化されていても良い。勿論、上記とは逆の階層構造を有していても良く、また、上記「理由」、「時間」、「行動」のカテゴリが「仕事」、「友人」、「親戚」、「家族」、「趣味」等の各カテゴリと並列的に設けられていても良い。
【００３０】
上述のようにディスプレイ部４１上に番号付きタイトルが表示された状態において、所望の音声メッセージの選択は、上記タイトルに付けられている番号に対応したナンバーキー４５をオン操作することにより行われても良く、前記ダイヤル４６によるカーソル操作により行われても良い。特に、上記ナンバーキー４５を上記番号付きタイトルの選択（つまり音声メッセージの選択）のために用いた場合、所望のナンバーキー４５を一度オン操作するだけで所望の音声メッセージを選択可能となる。したがって、例えば複数の音声メッセージを順次選択するような場合、ユーザは、それら音声メッセージのタイトルの番号に対応した各ナンバーキー４５を順次オン操作するだけでよく、ユーザに要求される操作工程が少なく非常に好都合である。また、音声メッセージの選択にナンバーキー４５を用いた場合において、ユーザが各音声メッセージと各ナンバーキー４５との対応を記憶していれば、ユーザは、ディスプレイ部４１上の表示を見ることなく所望の音声メッセージを選択可能となる。一方、ダイヤル４６を用いたカーソル操作により音声メッセージの選択が行われる場合、携帯端末１０は、ダイヤル４６の回転操作に応じて、ディスプレイ部４１上の各番号付きタイトル上でカーソルを移動させ、その状態でさらにダイヤル４６が押下操作されたときに、当該カーソル上のタイトル（音声メッセージ）がユーザにより選択されたと判断する。当該音声メッセージの選択にダイヤル４６を用いた場合、ユーザは、一つのダイヤル４６の回転や押下操作のみで、様々な音声メッセージを選択できることになる。また、当該ダイヤル４６の操作による音声メッセージの選択は、例えば、選択可能な音声メッセージが多数あり、ユーザがそれら音声メッセージと各タイトルとの対応関係を記憶できないような場合や、各タイトルの表示が変化してしまうような場合などに有効である。
【００３１】
ところで、上記各種の音声メッセージのうち、ユーザにより選択される音声メッセージは、ユーザの好み、着呼の相手先が誰であるのか、現在のユーザがおかれている状況、場所、時間帯、ユーザのスケジュールなどにより、偏りが発生することが予想される。
【００３２】
このようなことから、本実施の形態の携帯端末１０は、ユーザが選択した音声メッセージの履歴、着呼の相手先、ユーザがおかれている状況、場所、時間帯、スケジュールなどに応じて、上記ディスプレイ部４１上に表示する番号付きタイトル（つまり音声メッセージ）の並び順や、何れのカテゴリを表示するのか、カテゴリ内の各タイトルの表示順、各カテゴリ毎の表示順などを、変更可能となっている。
【００３３】
先ず、履歴に応じた表示変更例について説明する。携帯端末１０は、各音声メッセージ毎に、それぞれ選択履歴を保存しており、当該選択履歴に基づいて、前回選択された音声メッセージのタイトルの表示優先順位を最上位にしたり、選択履歴の統計を取って選択頻度を求め、その選択頻度に基づいて、各音声メッセージのタイトルの表示優先順位を変更することが可能である。例えば選択履歴に基づくタイトルの表示優先順位の変更の一例として、番号付きタイトルの順番が図８の（ａ）に示すように「１．メッセージＡ」，「２．メッセージＢ」，「３．メッセージＣ」，「４．メッセージＤ」，…の順番であったときに、例えば「３．メッセージＣ」が選択されたとすると、携帯端末１０は、図８の（ｂ）に示すように、メッセージＣに対応するタイトルの番号を「１」（「１．メッセージＣ」）にし、前回メッセージＣより上位であった各メッセージＡ，Ｂのタイトル番号をそれぞれ「２」（「２．メッセージＡ」），「３」（「３．メッセージＢ」）に繰り下げる。但し、前回、メッセージＣより下位だったメッセージＤ，メッセージＥのタイトルの番号は変更されない。また、上記選択頻度に基づくタイトルの表示優先順位の変更の一例として、メッセージＣの選択頻度が最も高くなり、それに伴って他のメッセージの選択頻度が順次繰り下がった場合、各タイトルは図８の（ｂ）に示すような表示順となる。なお、上記選択頻度は、各音声メッセージ毎の選択履歴に含まれる情報のうち、選択された回数をカウントし、そのカウント数の多少に応じて決定することができる。但し、カウント数が有限である場合、カウント数がオーバーフロウする虞がある。この場合、ある音声メッセージのカウント数が所定数に達したときに、全ての音声メッセージのカウント数を二分の一にしたり、全ての音声メッセージのカウント数を、ある数だけ減算することなどにより、上記カウント数のオーバーフロウを防ぐことができる。
【００３４】
次に、通信相手先に応じた表示変更例について説明する。例えば、着呼の相手先が仕事関係である場合、着信携帯端末１０Ｂは、仕事関係のカテゴリに属する音声メッセージの番号付きタイトルを上記ディスプレイ部４１上に表示する。同様に例えば、着呼の相手先が友人、親戚、趣味に関係するような場合、着信携帯端末１０Ｂは、それらの各カテゴリに属する音声メッセージの番号付きタイトルを上記ディスプレイ部４１上に表示する。このように、着呼の相手先に応じた表示を行う場合、携帯端末１０は、不揮発性メモリに保存してある電話番号情報と、着呼の相手先端末から送られてきた電話番号情報とを比較し、その相手先が仕事関係にグループ分けされているときには上記仕事関係のカテゴリとし、友人関係、親戚関係、趣味の関係にグループ分けされているときにはそれらに対応したカテゴリの番号付きタイトルを表示する。
【００３５】
次に、ユーザが置かれている状況、場所、時間帯に応じた表示変更例について説明する。すなわち、携帯端末１０は、例えば、ユーザが会議中であるとき、移動中であるとき、ユーザが会社にいるとき、休日であるとき、出勤や帰宅途中であるときなどに応じて、ディスプレイ部４１上の表示を変更可能である。例えば、上記ユーザの場所に応じた表示の変更は、携帯端末１０が例えばＧＰＳ（Ｇｌｏｂａｌ　Ｐｏｓｉｔｉｏｎｉｎｇ　Ｓｙｓｔｅｍ）等の位置測位システム機能を携帯端末が備えているとき、そのシステムにより計測した位置に最も適したカテゴリの表示を行う。一例として、携帯端末１０は、現在位置が会社の所在地近辺や取引先近辺であるときには仕事関係のカテゴリを表示し、自宅近辺であるときには友人関係や親戚関係、趣味の関係のカテゴリを表示する。また、ユーザが置かれている状況や時間帯に応じた変更は、携帯端末１０がスケジュール設定機能を備えているとき、そのスケジュールに基づいて行うことができる。一例として、携帯端末１０は、スケジュールの内容により、ディスプレイ部４１に表示される各タイトルの並び順を変更したり、或いは、平日の勤務時間帯であるときには仕事関係のカテゴリを表示し、勤務時間外や休日であるときには友人関係や親戚関係、趣味の関係のカテゴリを表示するようなことが可能である。
【００３６】
さらに、各カテゴリ毎に順番に表示するような場合、携帯端末１０は、先のカテゴリ内で選択された音声メッセージに応じて、次に表示されるカテゴリ内の各タイトルの順番（つまり番号）を変更するようなことも可能である。
【００３７】
以上のように、例えば選択履歴を考慮した表示を行った場合、ディスプレイ部４１上には、常に前回選択した音声メッセージや選択頻度の高い音声メッセージのタイトルが上位の番号付きで表示されることになり、また、ユーザがおかれている状況、場所、時間帯などに応じた表示が行われた場合も同様に、ディスプレイ部４１上には、ユーザがおかれている状況、場所、時間帯などに適応したカテゴリが表示され、また音声メッセージのタイトルが上位の番号付きで表示されることになるため、ユーザは、着呼時の短い時間内で有用な音声メッセージを選択可能となる。
【００３８】
音声メッセージは、上述したような理由や時間、行動等を相手側に伝えるためのメッセージのみならず、発信携帯端末１０Ａ側が発呼を止めてしまうことを防止するためのメッセージ、例えば「メッセージが流れますので少々お待ち下さい」などの音声メッセージも含まれる。この音声メッセージを受け取った発信携帯端末１０Ａのユーザは、着信携帯端末１０Ｂのユーザがこれから前述した理由や時間、行動等を伝えるための各音声メッセージを送信してくることを知ることができる。
【００３９】
さらに、音声メッセージは、発信携帯端末１０Ａ側のユーザが伝言メッセージ（音声による伝言メモ）を残すか否かを聞くメッセージであっても良い。当該伝言メモを残すか否かを聞く音声メッセージに対応する番号付きタイトルは、例えば図９に示すように「６．伝言メモ」となされ、それがディスプレイ部４１上に表示される。また、当該伝言メモの音声メッセージを送信するか否かは、予め設定しておく場合だけでなく、着呼時に選択されても良い。この場合、着信携帯端末１０Ｂは、ディスプレイ部４１上に図１０のような「１．伝言メモＯＮ」、「２．伝言メモＯＦＦ」の項目を有する選択画面を表示させる。そして、着信携帯端末１０Ｂは、着呼時に例えば「１．伝言メモＯＮ」がユーザにより選択されたときには伝言メモを残すか否か聞く音声メッセージを発信携帯端末１０Ａに送信する。一方、着信携帯端末１０Ｂは、着呼時に例えば「２．伝言メモＯＦＦ」がユーザにより選択されたときには、予め伝言メモを送信する設定がなされていたとしても、上記伝言メモを残すか否か聞く音声メッセージを送信しない。上記伝言メモを残すか否かを聞く音声メッセージを発信携帯端末１０Ａ側へ送信した場合、着信携帯端末１０Ｂは、その後に発信携帯端末１０Ａから送られてくる伝言メモのメッセージを書き換え可能な不揮発性メモリ等に記録する。このように、伝言メモを記録可能にすることで、例えば着信携帯端末１０Ｂから「折り返しお電話差し上げます」の音声メッセージを送信した後、発信携帯端末１０Ａから「外出中なのでこちらからかけ直します」の伝言メモが送られてきたような場合には、着信携帯端末１０Ｂのユーザは後に電話をかけ直さなくても良くなる。なお、伝言メモを残すか否か聞くための音声メッセージは、一般的な伝言メモを要求するメッセージとは別のメッセージであることが望ましい。すなわち例えば、一般的な伝言メモを要求するメッセージには「ただ今電話に出ることはできません」などの言葉が入っているが、本実施の形態の場合、前述した「理由」の各音声メッセージ内で「ただ今電話にでられません」等の内容を既に流している可能性が高いため、同じ言葉を繰り返すことを避けるために、例えば「宜しければメッセージを残してください」等の内容にする。
【００４０】
なお、本実施の形態では、着信携帯端末１０Ｂから発信携帯端末１０Ａへ音声メッセージを送信する例を述べているが、発信携帯端末１０Ａ側が例えば発呼の理由等を述べるための音声メッセージを送信してきても良い。また、発信携帯端末１０Ａと着信携帯端末１０Ｂとの間では、それら音声メッセージのみを用いた通信、或いは、ユーザの音声と音声メッセージとを交えた通信を行うことも可能である。さらに、これらメッセージは、音声に限らず、テキストや画像等のメッセージであっても良く、上記音声メッセージと共にテキストや画像等を送信しても良い。また、音声メッセージは、回線交換ではなくパケット通信により送受信されても良い。
【００４１】
［音声メッセージの保存］
上記音声メッセージは、予め携帯端末１０の不揮発性メモリ等に用意されているものだけでなく、ユーザ自らが内蔵マイクロホン等を介して録音したものであっても良い。ユーザが音声メッセージを録音する場合、その録音した音声メッセージにはさらにユーザにより番号とタイトルが付けられ、携帯端末１０内の書き換え可能な不揮発性メモリ等に保存される。
【００４２】
また、音声メッセージは、例えば音声メッセージ提供サービスを行っているインターネット上のサイト等から携帯端末１０に転送（ダウンロード）されたものでも良いし、パーソナルコンピュータ等の情報処理装置上で作成されて携帯端末１０へ転送されたものでも良い。これらの場合、番号付きタイトルは、当該音声メッセージと共にダウンロード或いは転送されても良く、音声メッセージがダウンロード或いは転送された後に、ユーザにより設定されても良い。
【００４３】
勿論、ユーザにより録音された音声メッセージ、ダウンロード或いは転送された音声メッセージの何れの場合も、前述のようなカテゴリ分けが可能である。
【００４４】
さらに、音声メッセージは、追加、削除、編集することも可能である。追加、削除、編集等は、携帯端末１０上で行うことも、また、パーソナルコンピュータ等へ転送しそのパーソナルコンピュータ上で行うことも可能であり、さらには音声メッセージ提供サービスを行っているサービス業者に依頼しても良い。
【００４５】
その他、音声メッセージは、着信時に作成されたものであっても良い。
【００４６】
［携帯端末の内部構成及びその基本動作］
次に、図１１を用いて、上記携帯端末１０の内部構成及びその基本動作を説明する。なお、ディスプレイ部４１，操作入力部４４については既に述べているため、ここではそれらの説明を省略している。
【００４７】
この図１１に示す携帯端末１０において、マイクロホン１６は、ユーザの通話音声等を電気信号（すなわちアナログ音声信号）に変換する。この通話音声のアナログ音声信号は、図示しないアンプにより増幅された後、ＤＳＰ（Ｄｉｇｉｔａｌ　Ｓｉｇｎａｌ　Ｐｒｏｃｅｓｓｏｒ）１８へ入力する。
【００４８】
このときのＤＳＰ１８は、当該アナログ音声信号を、所定のサンプリングレートでＡ／Ｄ（Ａｎａｌｏｇ／Ｄｉｇｉｔａｌ）変換する。ＤＳＰ１８は、そのＡ／Ｄ変換により得られたディジタル音声データに対し、トランスポートブロック（ＴＢ：Ｔｒａｎｓｐｏｒｔ　Ｂｌｏｃｋ）毎にＣＲＣ（Ｃｙｃｌｉｃ　Ｒｅｄｕｎｄａｎｃｙ　Ｃｈｅｃｋ）符号を付加し、チャネル符号化（すなわち誤り訂正符号化）及びインターリーブ処理を施す。なお、トランスポートブロックとは、物理レイヤが処理を行うデータの基本単位（ＭＡＣ（Ｍｅｄａ　Ａｃｃｅｓｓ　Ｃｏｎｔｒｏｌ）レイヤから物理レイヤにデータが転送される単位）である。さらに、ＤＳＰ１８は、上記インターリーブ処理後のビット系列に対して、チャネル推定のためのパイロットビット等のオーバーヘッドを付加した後、データ変調する。ＤＳＰ１８は、データ変調マッピングされた位相平面上の同相（Ｉｎ−ｐｈａｓｅ）及び直交（Ｑｕａｄｒａｔｕｒｅ）成分を、それぞれ２階層の拡散符号系列で拡散する。そして、ＤＳＰ１８は、その拡散後のチップデータ系列を、自乗余弦ルートナイキストフィルタで所定帯域（５ＭＨｚ）に帯域制限した後、Ｄ／Ａ（Ｄｉｇｉｔａｌ／Ａｎａｌｏｇ）変換によりアナログ信号に変換する。そのＤ／Ａ変換により得られたアナログ信号は、当該ＤＳＰ１８から送信部１４へ送られる。
【００４９】
送信部１４は、上記ＤＳＰ１８からのアナログ信号を直交変調し、その直交変調された中間周波数信号をさらに高周波信号（２ＧＨｚ帯のＲＦ信号）に周波数変換する。そして、送信部１４は、その高周波信号を増幅し、その増幅後の高周波信号を、送信信号としてデュープレクサ１２へ送出する。
【００５０】
デュープレクサ１２は、アンテナ共用器である。すなわち、当該デュープレクサ１２は、送信信号と受信信号で１本の前記アンテナ４３を共用し、アンテナ４３からの受信信号を受信部１３に送り、送信部１４からの送信信号をアンテナ４３へ送出する機能を備えたフィルタ回路により構成されている。
【００５１】
受信部１３は、アンテナ４３及びデュープレクサ１２を介して供給された高周波の受信信号を増幅し、その高周波の受信信号を中間周波数の信号に周波数変換し、さらに、その信号を自動利得制御により線形増幅して出力する。この受信部１３から出力された信号は、ＤＳＰ１８へ入力する。
【００５２】
このときのＤＳＰ１８は、受信部１３からの信号を直交検波（Ｑｕａｄｒａｔｕｒｅ　ｄｅｔｅｃｔｉｏｎ）し、その直交検波による同相及び直交成分のアナログ信号を所定のサンプリングレートでＡ／Ｄ変換する。ＤＳＰ１８は、そのＡ／Ｄ変換によりディジタル値に変換された同相及び直交成分を、自乗余弦ルートナイキストフィルタで帯域制限した後、受信信号の拡散符号と同一の拡散符号により逆拡散することで、伝搬遅延時間の異なる複数のマルチパス成分に時間分離する。さらに、ＤＳＰ１８は、上記時間分離した各パスのデータをコヒーレント（ｃｏｈｅｒｅｎｔ）レイク（Ｒａｋｅ）合成し、そのレイク合成後のデータ系列を、デインターリーブ及びチャネル復号（すなわち誤り訂正復号）した後、２値のデータ判定を行って、相手先の端末が送信してきたデータ系列を再生する。そして、ＤＳＰ１８は、その再生したデータ系列を、音声データとその他の通信データに弁別する。
【００５３】
音声データは、ＤＳＰ１８によりＤ／Ａ変換され、さらに図示しないアンプにより増幅された後、スピーカ１７へ送られる。スピーカ１７は、上記増幅されたアナログ音声信号により駆動される。これにより、通話相手先の端末からの通話音声が、当該スピーカ１７から放音されることになる。
【００５４】
また、上記ＤＳＰ１８は、上記通信データがどのようなデータであるのかを解析し、その解析結果に応じた処理を行う。例えば、上記通信データがテキストデータである場合、ＤＳＰ１８は、そのテキストデータを制御部２２に送る。このときの制御部２２は、上記テキストデータをディスプレイ部４１へ表示する。また例えば、上記通信データが圧縮された画像データである場合、ＤＳＰ１８は、その圧縮画像データを伸張した後、制御部２２に送る。このときの制御部２２は、その画像データをディスプレイ部４１へ表示する。さらに例えば、上記通信データが圧縮された音声データである場合、ＤＳＰ１８は、その圧縮音声データを伸張し、スピーカ１５或いは１７へ出力する。
【００５５】
その他、上記ＤＳＰ１８は、前記呼び出し情報を検出した場合、その呼び出し情報の検出に応じて、着信音信号を生成する。その着信音信号は、図示しないアンプにより増幅された後、スピーカ１５へ送られる。スピーカ１５は、上記増幅された着信音信号により駆動される。これにより、呼び出し情報に応じた着信音が、当該スピーカ１５から放音されることになる。
【００５６】
また、制御部２２は、上記音声メッセージの番号付きタイトルのテキストデータを、ディスプレイ部４１の画面上に表示させる処理、ユーザにより選択された音声メッセージを不揮発性メモリ等から取得する処理、各カテゴリ毎の処理や選択履歴の処理、選択頻度の処理、着呼の相手先の判定処理、ユーザがおかれている状況、場所、時間帯、ユーザのスケジュールなどに応じたタイトルの表示制御処理なども行う。
【００５７】
記録部２７は、フラッシュメモリなどの記憶保持動作が不要（不揮発性）な書き換え可能なメモリからなる。この記録部２７は、それぞれユーザが登録した電話番号や電子メールアドレス、住所録等を記録している。また、この記録部２７は、前記音声メッセージとタイトルが記録されていても良い。記録部２７は、当該携帯端末の各種の設定値のうちでユーザが任意に設定可能な値の記録にも使用される。その他、記録部２７は、送受信した電子メール等のデータ、画像データ、音声データなど、必要に応じて様々なデータを記録可能となっている。
【００５８】
ＲＯＭ（Ｒｅａｄ　Ｏｎｌｙ　Ｍｅｍｏｒｙ）２１は、制御部２２が各部を制御するための制御プログラムや音声メッセージのカテゴリ毎の処理や選択履歴の処理、選択頻度の処理、着呼相手先の判定、ユーザがおかれている状況、場所、時間帯、ユーザのスケジュールの管理などの、様々な信号処理を行うための音声メッセージ関連処理プログラム、各種の初期設定値、フォントデータなどを記憶している。なお、当該ＲＯＭ２１は、デフォルトの音声メッセージを記憶していても良い。なお、このＲＯＭ２１は、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）のような書き換え可能なＲＯＭであっても良い。
【００５９】
ＲＡＭ（Ｒａｎｄｏｍ　Ａｃｃｅｓｓ　Ｍｅｍｏｒｙ）２０は、制御部２２が各種のデータ処理を行う際の作業領域として、随時データを格納する。このＲＡＭには、音声メッセージの選択などのための様々な処理に使用されるデータも格納される。
【００６０】
制御部２２は、ＲＯＭ２１に格納されている制御プログラムに基づいて、各部の動作を制御すると共に、各種の演算処理を行う。また、制御部２２は、音声メッセージ関連処理プログラムに基づいて、操作入力部４４からの入力操作に応じた音声メッセージの選択や送信の制御、相手先携帯端末から送られてきた伝言メモのメッセージをＲＡＭ２０や記録部２７へ記録する制御、ディスプレイ部４１への表示やスピーカ１５への出力等の制御、記録部２７への記録や再生などの各種処理を行う。その他、制御部２２は、前記音声メッセージ等をダウンロードする場合に、当該ダウンロードの制御、ダウンロードされた音声メッセージを記録部２７やＲＡＭ２０等に書き込む制御なども行う。
【００６１】
カメラ部２６は、ＣＣＤ（Ｃｈａｒｇｅ　Ｃｏｕｐｌｅｄ　Ｄｅｖｉｃｅ）イメージセンサやＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサ等の撮像素子と、その撮像素子上に被写体等の光像を結像させる光学系とを備えたものである。当該カメラ部２６での撮影指示入力は、前記操作入力部４４上の所定のキーをレリーズボタンとして使用することで実現できる。このカメラ部２６により撮影した画像データは、ＤＳＰ１８に入力する。なお、上記画像データを受け取ったＤＳＰ１８は、その画像データを制御部２２に送る。このときの制御部２２は、上記画像データに基づく画像をディスプレイ部４１上に表示させる。またこのときのＤＳＰ１８は、上記画像データを必要に応じて圧縮し、その圧縮後の画像データを上記送信データとして処理して送信部１４に送ることも可能である。上記圧縮後の画像データは、制御部２２を介して記録部２７に記録することも可能である。
【００６２】
近距離無線通信部２４とそのアンテナ２５は、いわゆるブルートゥース（Ｂｌｕｅｔｏｏｔｈ）方式の無線通信を行うためのものである。なお、上記ブルートゥース方式は、複数の電子機器間でアドホックな無線ネットワーキングを実現するための方式である。このブルートゥース方式は、Ｂｌｕｅｔｏｏｔｈ　ＳＩＧ（Ｓｐｅｃｉａｌ　Ｉｎｔｅｒｅｓｔ　Ｇｒｏｕｐ）にて策定されたものであり、詳細は“Ｂｌｕｅｔｏｏｔｈ（ＴＭ）Ｓｐｅｃｉａｌ　ＩｎｔｅｒｅｓｔＧｒｏｕｐ、Ｂｌｕｅｔｏｏｔｈ仕様書バージョン１．０”に開示されている。なお、当該携帯端末１０は、上記ブルートゥース方式の無線通信により取り込んだ音声データを、前記音声メッセージとして用いることも可能である。また、この携帯端末１０は、マイクロホン１６により取り込んだ音声のデータを、音声メッセージとして用いることも可能である。
【００６３】
［音声メッセージ関連処理プログラムの流れ］
次に、上述した音声メッセージの選択等の処理の流れを、以下の図１２〜図１６のフローチャートを参照しながら説明する。これら各フローチャートは、携帯端末１０の制御部２２が、ＲＯＭ２１内に記憶されている制御プログラム及び音声メッセージ関連処理プログラムに基づいて各部を動作させる際の流れを示している。また、これらフローチャートは、携帯端末１０へ着呼があり、前記クリアキー４９がオン操作されたときに開始する。なお、これらフローチャートには図示していないが、携帯端末１０の電源が切られた時点で、このフローチャートは無条件で終了する。さらに、図示は省略しているが、各処理ステップは、ユーザの指示に応じてキャンセル若しくは一つ前の処理ステップに戻ることが可能になっている。
【００６４】
先ず、図１２を用いて、着信から音声メッセージの送信までの概略的な流れを説明する。
【００６５】
この図１２のフローチャートにおいて、携帯端末１０の制御部２２は、ステップＳ１の待ち受け状態となっている。この待ち受け時の制御部２２は、着信の有無の監視や、操作入力部４４からの操作信号の監視を行っている。
【００６６】
上記待ち受け時に、着信があると、制御部２２は、ステップＳ２の処理として、ユーザが電話を受ける旨の操作を行ったか否か判断する。すなわち、当該ステップＳ２のとき、制御部２２は、操作入力部４４上の各キーのうち、エニキーアンサー機能が割り当てられているキーをユーザがオン操作したか否かを判断する。このステップＳ２において、エニキーアンサー機能が割り当てられているキーがオン操作されたと判断した場合、制御部２２の処理はステップＳ３へ進む。なお、エニキーアンサー機能がオフになされている場合、制御部２２は、当該ステップＳ２では受話キーがオン操作されたか否かの判断を行うことになる。
【００６７】
ステップＳ３の処理に進むと、制御部２２は、携帯端末１０の各部を制御し、通常の通話動作を開始させる。その後、制御部２２は、通話が終了したか否かを判断し、通話が終了したときにはステップＳ１の処理へ戻る。
【００６８】
一方、ステップＳ２において、エニキーアンサー機能が割り当てられているキーをユーザがオン操作していないとき、制御部２２は、更にステップＳ５の処理として、前記クリアキー４９、つまり音声メッセージ選択開始のための特定のキーが、オン操作されたか否か判断する。このステップＳ５において、クリアキー４９がオン操作されていないときにはステップＳ２に戻り、クリアキー４９がオン操作されたとき、制御部２２は、ステップＳ６の処理に進む。なお、音声メッセージ選択開始のための機能が、前記ダイヤル４６の一定時間以上の連続押下操作に割り当てられている場合、制御部２２は、このステップＳ５で当該ダイヤルの一定時間以上の連続押下操作がなされたか否かを判断することになる。
【００６９】
ステップＳ６の処理に進むと、制御部２２は、前記ディスプレイ部４１に前述した音声メッセージの番号付きタイトルを表示させる。そして、制御部２２は、ステップＳ７の処理として、前述したように、ユーザにより少なくとも一つの番号付きタイトルが選択されたか否か、つまり、音声メッセージが選択されたか否かの判断を行う。なお、この時の制御部２２は、前述したナンバーキー４５のオン操作による音声メッセージの選択や、ダイヤル４６の操作とカーソルによる音声メッセージの選択が、ユーザによりなされたか否かを判断する。これらステップＳ６とステップＳ７の処理は、繰り返し行われても良い。ステップＳ６，Ｓ７の処理が繰り返された場合、複数の音声メッセージが選択可能となる。
【００７０】
上記ステップＳ７にて、少なくとも一つの音声メッセージが選択されたとき、制御部２２は、ステップＳ８の処理として、その選択された音声メッセージを前記記録部２７やＲＯＭ２１等から読み出し、例えば発信携帯端末１０Ａへ送信する。なお、ステップＳ６とステップＳ７で複数の音声メッセージが選択された場合、制御部２２は、それら複数の音声メッセージを順次連続的に送信する。また、制御部２２は、上記選択された音声メッセージを流す前に、前述した発信携帯端末１０Ａ側が発呼を止めてしまうことを防止するためのメッセージ（例えば「メッセージが流れますので少々お待ち下さい」など）を送信しても良い。また、制御部２２は、前記伝言メモを残すか否かを聞くためのメッセージを送信しても良い。このステップＳ８にて音声メッセージを送信した後、制御部２２は、相手先との接続を切った後、ステップＳ１の処理へ戻る。なお、音声メッセージの送信後、制御部２２は、回線を接続したままにしてステップＳ３の通話の処理へ進んでも良いし、同じ音声メッセージを繰り返し送信しても良いし、ステップＳ６の音声メッセージの選択処理に戻っても良い。
【００７１】
次に、図１３を参照して、複数の音声メッセージを選択して送信する場合の処理の流れを説明する。この図１３のフローチャートは、複数の音声メッセージの選択が終了した後に、それら各音声メッセージを順次送信する場合の流れである。また、当該図１３のフローチャートは、複数の音声メッセージを選択して送信することにした場合の図１２のステップＳ６〜ステップＳ８を詳細に示すものである。
【００７２】
図１２のステップＳ５にてクリアキー４９がオン操作された場合、制御部２２の処理は、図１３のステップＳ３１へ進む。ステップＳ３１のとき、制御部２２は、ディスプレイ部４１に音声メッセージの番号付きタイトルを表示させる。そして、制御部２２は、ステップＳ３２の処理として、それら番号付きタイトルから何れかが選択（つまり音声メッセージが選択）されたか否かの判断を行う。このステップＳ３２において何れかの音声メッセージが選択されたとき、制御部２２は、ステップＳ３３の処理として、上記選択された音声メッセージを例えばＲＡＭ２０に記憶させた後、ステップＳ３１の処理に戻る。すなわち、このステップＳ３１，Ｓ３２，Ｓ３３のループを繰り返すことで、ＲＡＭ２０には順次音声メッセージが記憶されていくことになる。なお、ステップＳ３３では、選択された音声メッセージが格納されている不揮発性メモリ上のアドレスをＲＡＭ２０に記憶させても良い。
【００７３】
その後、ステップＳ３２にて音声メッセージの選択が行われず、さらにステップＳ３４にて音声メッセージの選択が終了したと判断した場合、制御部２２は、ステップＳ３５の処理に進む。ステップＳ３５の処理に進むと、制御部２２は、上記ＲＡＭ２０に保存した各音声メッセージを、その保存順に順次読み出し、相手先の携帯端末１０へ送信する。なお、メモリアドレスがＲＡＭ２０に保存されているときには、音声メッセージが記憶されている不揮発性メモリから、上記ＲＡＭ２０に保存されているアドレスに応じた音声メッセージが読み出され、相手先の携帯端末１０へ送信されることになる。また、制御部２２は、ステップＳ３４において、音声メッセージが一つも選択されていない場合でも終了したと判断でき、或いは、少なくとも一つの音声メッセージが選択されていないと終了したと判断できないように設定されていても良いし、前述した「選択終了」の項目が選択されたときや、他の特定のキー（例えば＃キーや＊キーなど）のオン操作により終了したと判断しても良い。
【００７４】
複数の音声メッセージを選択して送信する場合の処理は、以下に述べる図１４に示すフローチャートの流れであっても良い。この図１４のフローチャートは、音声メッセージが選択されると、その音声メッセージをＲＡＭ２０に保存せずに直ぐに送信することで、複数の音声メッセージの送信を実現する場合の流れである。当該図１４のフローチャートは、図１２のステップＳ６〜ステップＳ８を詳細に示すものである。
【００７５】
図１２のステップＳ５にてクリアキー４９がオン操作された場合、制御部２２の処理は、図１４のステップＳ５１へ進む。ステップＳ５１のとき、制御部２２は、ディスプレイ部４１に音声メッセージの番号付きタイトルを表示させる。そして、制御部２２は、ステップＳ５２の処理として、それら番号付きタイトルから何れかが選択（音声メッセージが選択）されたか否かの判断を行う。このステップＳ５２において何れかの音声メッセージが選択されたとき、制御部２２は、ステップＳ５３の処理として、上記選択された音声メッセージを直ちに相手先の携帯端末１０へ送信する。このステップＳ５３の処理後はステップＳ５１へ戻る。すなわち、このステップＳ５１，Ｓ５２，Ｓ５３のループを繰り返すことで、ユーザにより選択された複数の音声メッセージがそれぞれ選択後、直ちに送信されることになる。
【００７６】
一方、ステップＳ５２にて音声メッセージの選択が行われず、さらにステップＳ５４にて音声メッセージの選択が終了したと判断した場合、制御部２２は、図１２のステップＳ１の処理へ戻る。
【００７７】
なお、この図１４のフローチャートの場合、選択された音声メッセージは直ちに送信されるため、各音声メッセージの間に空白の時間ができる可能性がある。しかし、このフローチャートによれば、例えば回線交換を繋いだ状態で、ユーザが自ら通話をすることなく、例えば音声メッセージのみ次々と相手先携帯端末１０へ送信することができるため、それら音声メッセージを用いた擬似的な通話が可能となる。この図１４のフローチャートの処理によれば、一例として、ユーザが電車に乗っているときに、先ず「電車に乗っているので電話に出られません」の音声メッセージを送信し、しばらく時間が経過した後、「後少しで到着します。こちらからお電話差し上げます」の音声メッセージを送信するようなことが可能となる。また、図１２のステップＳ５で回線を接続した後、相手先ユーザの音声を例えばスピーカ１７から聞こえるようにしておけば、音声メッセージとユーザの音声による通話が可能となる。
【００７８】
なお、図１３や図１４のフローチャートにおいて、ステップＳ３１やステップＳ５１で表示される番号付きタイトルは、前記カテゴリ分けされた音声メッセージに対応したものにしても良い。例えば、図１３のフローチャートの場合、ステップＳ３１，Ｓ３２，Ｓ３３の各ループにおいて、ステップＳ３１でカテゴリ毎の表示を行えば、各カテゴリ毎に音声メッセージを選択可能となる。同様に、図１４のフローチャートの場合、ステップＳ５１，Ｓ５２，Ｓ５３の各ループにおいて、ステップＳ３１でカテゴリ毎の表示を行えば、各カテゴリ毎に音声メッセージを選択可能となる。このカテゴリ毎の表示の場合も、選択の終了や選択パスは前述同様に可能であり、同一カテゴリ内で複数の音声メッセージを選択することも可能である。
【００７９】
次に、図１５を参照して、伝言メモを残すか否かを聞くメッセージを送信する場合の処理の流れを説明する。この図１５のフローチャートは、図１２のステップＳ６〜ステップＳ８を詳細に示すものである。
【００８０】
図１２のステップＳ５にてクリアキー４９がオン操作された場合、制御部２２の処理は、図１５のステップＳ７１へ進む。ステップＳ７１のとき、制御部２２は、ディスプレイ部４１に音声メッセージの番号付きタイトルを表示させる。なお、このとき、制御部２２は、前記図９にて説明した「伝言メモ」や図１０にて説明した「伝言メモＯＮ」や「伝言メモＯＦＦ」を選択肢として有する画面を表示させても良い。そして、制御部２２は、ステップＳ７２の処理として、メッセージが選択されたか否かの判断を行う。なお、ステップＳ７１にて前記図１０の画面が表示された場合、制御部２２は、当該ステップＳ７２ではそれら「伝言メモＯＮ」、「伝言メモＯＦＦ」の何れが選択されたか判断する。このステップＳ７２において何れかのメッセージが選択されたとき、制御部２２は、ステップＳ７３の処理として、上記選択されたメッセージを例えばＲＡＭ２０に記憶させた後、ステップＳ７１の処理に戻る。なお、ステップＳ７３では、選択されたメッセージが格納されている不揮発性メモリ上のアドレスをＲＡＭ２０に記憶させても良い。
【００８１】
その後、ステップＳ７２にてメッセージの選択が行われず、さらにステップＳ７４にてメッセージの選択が終了したと判断した場合、制御部２２は、ステップＳ７５の処理に進む。ステップＳ７５の処理に進むと、制御部２２は、上記ＲＡＭ２０に保存した各メッセージを、その保存順に順次読み出し、相手先の携帯端末１０へ送信する。なお、メモリアドレスがＲＡＭ２０に保存されているときには、メッセージが記憶されている不揮発性メモリから、上記ＲＡＭ２０に保存されているアドレスに応じたメッセージが読み出され、相手先の携帯端末１０へ送信されることになる。
【００８２】
また、制御部２２は、ステップＳ７６において、伝言メモを残すか否か聞くメッセージが選択されているか判断し、選択されているときにはステップＳ７７にてそのメッセージを送信する。その後、制御部２２は、相手先の携帯端末１０から送られてくる伝言メモを例えばＲＡＭ２０或いは記録部２７に録音する。上記ステップＳ７６にて選択されていないと判断された時、又は、上記ステップＳ７８の処理後、図１２のステップＳ１へ戻る。
【００８３】
次に、図１６を参照して、前記選択履歴に応じたタイトルの表示優先順位の変更処理の流れを説明する。この図１６のフローチャートは、図１２のステップＳ７とステップＳ８の間、又は、ステップＳ８の後に挿入されるものである。
【００８４】
この図１６のフローチャートにおいて、前段のステップからステップＳ８１の処理に進むと、制御部２２は、選択された音声メッセージを指し示すポインタ（以下、メッセージポインタと表記する）の変数Ｎを「０」に変更し、その変更後のメッセージポインタをＲＡＭ２０に保存する。次に、制御部２２は、ステップＳ８２の処理として、選択された音声メッセージのメッセージポインタの変数Ｎ（上記変更前の変数Ｎ）に対してＮ−１の関係にあるメッセージポインタを、上記変数Ｎに設定する。そして、制御部２２は、ステップＳ８３の処理として、上記変数Ｎを１デクリメントして、ステップＳ８１の処理に戻る。
【００８５】
すなわち、この図１６のフローチャートの流れを前記図８の例を用いて説明すると、制御部２２は、例えば番号「３」が付されているタイトル（つまりメッセージＣ）が選択されると、そのメッセージＣを指し示すためのメッセージポインタを「３」から「０」に設定する。次に、変数Ｎ−１、つまり番号「２」が付されていたタイトルのメッセージＢのメッセージポインタを、変数Ｎ、つまり「３」に設定する。その後、制御部２２は、変数Ｎを１デクリメントして「２」にする。次に、制御部２２は、変数Ｎ−１、つまり番号「１」が付されていたタイトルのメッセージＡのメッセージポインタを、変数Ｎ、つまり「２」に設定する。その後、制御部２２は、変数Ｎを１デクリメントして「１」にする。そして、制御部２２は、変数Ｎ−１、つまり番号「０」が付されていたタイトルのメッセージＣのメッセージポインタを、変数Ｎ、つまり番号「１」に設定する。これにより、次回表示される番号付きタイトルは、図８の（ｂ）に示すように、「１．メッセージＣ」、「２．メッセージＡ」、「３．メッセージＢ」、「４．メッセージＤ」…の順番になる。
【００８６】
［実施の形態のまとめ］
以上説明したように、本実施の形態の携帯電話システム及び各携帯端末によれば、音声メッセージを送信することで、着信携帯端末１０Ｂのユーザは、発信携帯端末１０Ａのユーザに対して、例えば何故電話に出られないかを伝えることができる。また、本実施の形態によれば、音声メッセージにテキストのタイトルを付けて表示することで、ユーザによる音声メッセージの選択時の判断を助けることが可能である。さらに本実施の形態によれば、複数の音声メッセージを選択して送信可能であるため、音声メッセージの組み合わせが可能となり、様々な内容のメッセージを送信でき、且つ、有限な音声メッセージの有効利用が図れる。また、本実施の形態によれば、音声メッセージのタイトル表示の順番を、選択履歴や選択頻度、着呼の相手先、ユーザがおかれている状況、場所、時間帯などに応じて変更することで、ユーザは短い時間内で有用な音声メッセージを選択可能となる。
【００８７】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。
【００８８】
例えば、本発明は、携帯電話システムの他に、有線の一般回線システムやテレビ電話システム、それらと携帯電話システムとの間の通信などに適用することも可能である。
【００８９】
また、本発明は、基地局２や制御局１を介さずに、例えば、前記ブルートゥース方式の近距離無線通信部２４を用いて携帯端末１０同士の間で通話を行う場合にも適用可能である。
【００９０】
【発明の効果】
本発明によれば、一方の通信装置が他方の通信装置からの着信を受けたとき、当該一方の通信装置のユーザがおかれている状況などを知らせるための音声メッセージを、他方の通信装置へ送信することにより、例えば着信を受けることができないような場合に、相手方に対し、応答できない理由などを状況に応じて臨機応変に伝えることが可能となる。
【図面の簡単な説明】
【図１】通信システムの一構成例を示す図である。
【図２】携帯端末の外観及び音声メッセージのタイトル表示例を示す図である。
【図３】「理由」のカテゴリに分類される音声メッセージのタイトル表示例を示す図である。
【図４】「時間」のカテゴリに分類される音声メッセージのタイトル表示例を示す図である。
【図５】「行動」のカテゴリに分類される音声メッセージのタイトル表示例を示す図である。
【図６】「選択しない」の項目を含む表示例を示す図である。
【図７】「選択終了」の項目を含む表示例を示す図である。
【図８】選択履歴に応じた表示の変更例の説明に用いる図である。
【図９】「伝言メモ」の項目を含む表示例を示す図である。
【図１０】着信時に伝言メモ機能のオン／オフを設定するための項目の表示例を示す図である。
【図１１】携帯端末の内部構成を示すブロック図である。
【図１２】着信から音声メッセージの送信までの概略的な流れを説明するためのフローチャートである。
【図１３】複数の音声メッセージの選択が終了した後に各音声メッセージを順次送信する場合の流れを示すフローチャートである。
【図１４】選択される毎に音声メッセージを送信することで、複数の音声メッセージの送信を実現する場合の流れを示すフローチャートである。
【図１５】伝言メモを残すか否かを聞くメッセージを送信する場合の流れを示すフローチャートである。
【図１６】選択履歴に応じた表示変更処理の流れを示すフローチャートである。
【符号の説明】
１…制御局、２…基地局、１０…携帯電話機（携帯端末）、１２…デュープレクサ、１３…受信部、１４…送信部、１５，１７…スピーカ、１６…マイクロホン、１８…ＤＳＰ、２０…ＲＡＭ、２１…ＲＯＭ、２２…制御部、２４…近距離無線通信部、２７…記録部、４１…ディスプレイ部、４５…ナンバーキー、４６…ジョグダイヤル、４９…クリアキー
【図１】
2004023367.tif 000003
【図２】
2004023367.tif 000004
【図３】
2004023367.tif 000005
【図４】
2004023367.tif 000006
【図５】
2004023367.tif 000007
【図６】
2004023367.tif 000008
【図７】
2004023367.tif 000009
【図８】
2004023367.tif 000010
【図９】
2004023367.tif 000011
【図１０】
2004023367.tif 000012
【図１１】
2004023367.tif 000013
【図１２】
2004023367.tif 000014
【図１３】
2004023367.tif 000015
【図１４】
2004023367.tif 000016
【図１５】
2004023367.tif 000017
【図１６】
2004023367.tif 000018